(57)【要約】      （修正有）【課題】保持できる釣り竿の数を必要に応じて増減できる釣り竿支持装置の補助具を提供する。【解決手段】釣り竿を挿入させる竿筒１６を立てて保持できる釣り竿支持装置（ロッドスタンド１０）に対して、保持できる釣り竿の数を増やすための補助具（エキストラホルダ２０）であり、増やされた釣り竿を保持するための補助筒体２１と、その補助筒体を竿筒１６の上部へ固定するための上部固定具２２Ａと、下部へ固定するための下部固定具２３Ａと、を備える。【選択図】図１
0003190663.tif 000002
【実用新案登録請求の範囲】
【請求項１】
釣り竿を挿入させる竿筒を立てて保持できる釣り竿支持装置に対して、保持できる釣り竿の数を増やすための補助具であって、
その補助具は、増やされた釣り竿を保持するための補助筒体と、
その補助筒体を前記の竿筒における上部へ固定するための上部固定具と、
前記の補助筒体を前記の竿筒における下部へ固定するための下部固定具と、を備えた釣り竿支持装置の補助具。
【請求項２】
前記の上部固定具は、前記の竿筒の上端縁へ填まる構造をなす縁支持リングとし請求項１に記載の釣り竿支持装置の補助具。
【請求項３】
前記の上部固定具または下部固定具のいずれか一方または双方を、バンド式固定具とした請求項１または請求項２のいずれかに記載の釣り竿支持装置の補助具。
【請求項４】
前記の上部固定具または下部固定具のいずれか一方または双方を、補助筒体と一体成形することとした請求項１から請求項３のいずれかに記載の釣り竿支持装置の補助具。
【考案の詳細な説明】
【技術分野】
【０００１】
本考案は、釣り竿を立てて保持する釣り竿支持装置に付属させて保持できる釣り竿の数を増やすことができる補助装置、に関する。
【背景技術】
【０００２】
状況や対象魚に応じて釣り竿を変更する、という釣りをする場合、用意した複数の釣り竿を立て掛けておくため、釣り用三脚が提供されている。この釣り用三脚とは、伸縮可能な三本の脚部によって複数の筒体を立設させ、その筒体へ釣り竿を挿通させて用いる。代表的な釣り用三脚としては、特許文献１に開示されている。
【０００３】
特許文献１に開示された釣り竿支持装置は、図７に示すように、下方へ向かって放射状に広がる３本の脚部１２と、それら脚部１２の間にできる３つの空間へそれぞれ一つずつ支持された筒状の釣り竿支持部（竿筒１６）を３つ備えている。
脚部１２を伸長させることで釣り竿支持部（竿筒１６）の位置が高くなり、釣り竿（図示を省略）を挿通させて支持する位置も高くなり、結果として釣り竿を安定して保持できる。
【０００４】
特許文献１に開示された釣り竿支持装置では、３本の釣り竿を保持できるが、４本、５本といった釣り竿を保持できる釣り竿支持装置も提供されている。
釣り竿支持装置は、釣り竿のみならず、タモを立て掛けておくといった使い方もできるので、堤防釣りにおいて２本の釣り竿とタモを保持させておく、といった使い方をする釣り人も多い。
【０００５】
さて、近年、決められた時間内に対象魚をどれだけ釣り上げられるか、といった釣りの競技会が盛んになりつつある。前述した釣り竿支持装置は、堤防釣りのみならず、こうした競技会において重宝する。
競技会のルールにもよるが、釣り竿を５本まで使ってよいとする競技会が一般化しつつある。
【先行技術文献】
【特許文献】
【０００６】
【特許文献１】特開２００９−５０１８７号公報
【考案の開示】
【考案が解決しようとする課題】
【０００７】
さて、競技に参加しようという釣り人は、制限本数の釣り竿を持ち込めた方が競技では有利と考えるのが普通である。したがって、競技会へ参加する場合には、多くの釣り竿を保持できる釣り竿支持装置が使われることとなる。
【０００８】
しかし、競技会へ参加する釣り人の多くは、競技会とは無関係な日常的な釣りにおいてまで、４本、５本といった釣り竿を必要とすることはない。たとえば、５本の釣り竿を保持できる釣り竿支持装置を競技会参加用に購入した釣り人は、日常の釣りにおいて、使わない余分な保持部を伴った釣り竿支持装置を持ち運ぶこととなってしまう。
【０００９】
本発明が解決しようとする課題は、保持できる釣り竿の数を必要に応じて増減できる釣り竿支持装置の補助具を提供することにある。
【課題を解決するための手段】
【００１０】
（第一の考案）
第一の考案は、釣り竿を挿入させる竿筒(16)を立てて保持できる釣り竿支持装置(ロッドスタンド10)に対して、保持できる釣り竿の数を増やすための補助具(エキストラホルダ20)に係る。
その補助具(20)は、増やされた釣り竿を保持するための補助筒体(21)と、その補助筒体(21)を前記の竿筒(16)における上部へ固定するための上部固定具(22)と、  前記の補助筒体(21)を前記の竿筒(16)における下部へ固定するための下部固定具(23)と、を備える。
【００１１】
（用語説明）
『釣り竿(41)を挿入させる竿筒(16,16,16)』にいう「挿入」とは、竿筒(16,16,16)の少なくとも上端が開口されていることを意味し、下端までも開口されている場合には、挿入して貫通（「挿通」）させることとなる。
『竿筒(16,16,16)を立てて保持できる』にいう「立てて保持」とは、竿筒(16,16,16)の軸方向が垂直である場合のほか、やや傾斜していても含むことを意図している。
「上部固定具(22)」および「下部固定具(23)」は、物理的に分離されておらず、一体に形成されていても良い。
【００１２】
（作用）
釣り竿支持装置(10)が保持している竿筒(16,16,16)のいずれかひとつまたは複数の竿筒(16)に対して、上部固定具(22)および下部固定具(23)が固定される。それによって、補助筒体(21)の上部および下部が固定される。
竿筒(16)へ固定された補助筒体(21)は、竿筒(16)とは別の釣り竿を保持することができる。
【００１３】
（第一の考案のバリエーション１）
第一の考案は、前記の上部固定具を、前記の竿筒(16)の上端縁へ填まる構造をなす縁支持リング(22C)としてもよい。
【００１４】
（作用）
縁支持リング(22C)を採用することで、竿筒(16)へ固定された補助筒体(21)は、垂直方向にずれにくくなる。
【００１５】
（第一の考案のバリエーション２）
第一の考案は、前記の上部固定具または下部固定具のいずれか一方または双方を、バンド式固定具(22D、23D)としてもよい。
ここで、「バンド式固定具」とは、結束バンドのような簡易なバンドの他、革や人工皮革などの帯へ所定間隔にて固定用孔を設けたバンドも含む。
【００１６】
（作用）
バンド式固定具(22D、23D)を採用することで、補助筒体(21)の竿筒(16)への着脱が容易となる。
【００１７】
（第一の考案のバリエーション３）
第一の考案は、前記の上部固定具または下部固定具のいずれか一方または双方を、補助筒体(21)と一体成形することとしても良い。
【００１８】
（作用）
一体成形とすることで、部品管理の手間を軽減し、製造や組み立てなどのトータル費用を抑制することに寄与する。
【考案の効果】
【００１９】
第一の考案によれば、保持できる釣り竿の数を必要に応じて増減できる釣り竿支持装置の補助具を提供することができた。
【図面の簡単な説明】
【００２０】
【図１】本考案の第一の実施形態に係る釣り竿支持装置の補助具を示す斜視図である。
【図２】本考案の第二の実施形態に係る釣り竿支持装置の補助具を示す斜視図である。
【図３】本考案の第三の実施形態に係る釣り竿支持装置の補助具を示す斜視図である。
【図４】本考案の第四の実施形態に係る釣り竿支持装置の補助具を示す斜視図である。
【図５】本考案の第五の実施形態に係る釣り竿支持装置の補助具を示す斜視図である。
【図６】本考案の第六の実施形態に係る釣り竿支持装置の補助具を示す斜視図である。
【図７】従来の釣り竿支持装置を示す斜視図である。
【考案を実施するための形態】
【００２１】
以下、本考案の実施形態について図面を参照して説明する。ここで使用するのは、図１から図６である。
【００２２】
まず、ロッドスタンド１０について説明する。
ロッドスタンド１０とは、伸縮自在である丸棒状の脚部（この図では省略するが、図７に示される脚部１２）の上端を回動可能であるように固定するスタンド基部１１と、そのスタンド基部１１を水平とした場合に鉛直下方へ延ばされた丸棒状の支持棒１４と、スタンド基部１１における支持棒１４とは反対側に固定されるハンドル１７とを備える。
【００２３】
支持棒１４の下端には、脚部を折り畳んだ場合に畳まれた状態を保持するとともに、釣り竿を挿通させて保持するための竿筒１６の下方部分を保持するための筒下部支持具１５が固定されている。
この筒下部支持具１５は、支持棒１４の下端に固定される基部１５Ａと、放射状に３つ配置したリング状の筒支持リング１５Ｃと、２つの筒支持リング１５Ｃに挟まれた場所に位置するΩ字形の脚支持リング１５Ｂとからなる。その脚支持リング１５Ｂは、縮められた脚部が押し込まれ、脚部が広がらないように支持する。
【００２４】
支持すべき釣り竿を挿通させる竿筒１６は、両端を開けた筒体であり、このロッドスタンド１０に固定される３つの竿筒１６は、本実施形態ではすべて同じ形状をなしている（後述する補助具２０に用いる補助筒２１も、その外径、内径、肉厚、長さ寸法とも同じである。ただし、本願考案としては竿筒１６と補助筒２１とが同じであることまでを意図していない。）。その上部には、水平断面形状を凸字形とした筒掛け部（図示を省略）を備えている。
一方、前述したスタンド基部１１における３つの側面には、前記の筒掛け部を上から挿入させて係合するアリ溝（下端は支持棒１４側へ貫通しないように形成されている）状の筒支持部１３を備えている。
【００２５】
ハンドル１７は、Ｌ字形をなしており、たとえば保管収納時には、脚部１２側へ先端部を回動させて畳むことで収納スペースを減らすことができる。畳んでいない状態の時には、釣り人はこのハンドルを持つことで、釣り竿を保持したまま移動させることができる。
【００２６】
（第一の実施形態）
図１に示すように、釣り竿を挿入させる竿筒１６を立てて保持できるロッドスタンド１０に対して、保持できる釣り竿の数を増やすためのエキストラホルダ２０を備える。
このエキストラホルダ２０は、増やされた釣り竿を保持するための補助筒体２１と、その補助筒体２１をロッドスタンド１０の竿筒１６における上部へ固定するための上部固定具２２と、前記の補助筒体２１をロッドスタンド１０の竿筒１６における下部へ固定するための下部固定具２３と、を備える。
【００２７】
上部固定具２２は、ロッドスタンド１０の竿筒１６の外径寸法を内径寸法とした上部リング２２Ａである。また、下部固定具２３は、ロッドスタンド１０の竿筒１６の外径寸法よりもやや小さな内径寸法とし、竿筒１６を挿入可能な切り欠きとしたΩ字形をした両持ち挿入固定リング２３Ａである。
【００２８】
両持ち挿入固定リング２３Ａへロッドスタンド１０の竿筒１６を挿入した後、竿筒１６を長手方向へずらすことで上部リング２２Ａへ挿入し、エキストラホルダ２０の組み立てが終えられる。着脱は容易であり、持ち運びにも便利である。
エキストラホルダ２０に釣り竿が挿通された場合、エキストラホルダ２０には回転モーメントが掛かる場面がある。したがって、本実施形態では、下部固定具２３よりも上部固定具２２がエキストラホルダ２０をより強固に固定する構造を採用している。
【００２９】
上部リング２２Ａも両持ち挿入固定リング２３Ａも、補助筒体２１と一体成形しており、部品管理の手間を軽減し、製造や組み立てなどのトータル費用を抑制している。
【００３０】
（第二の実施形態）
図２に示すように、第二の実施形態では、上部固定具２２の形状を異ならせている。すなわち、片持ち挿入固定リング２２Ｂとしている。第一の実施形態に比べて、エキストラホルダ２０の着脱作業が、より容易となっている。
前述したように、エキストラホルダ２０に釣り竿が挿通された場合、エキストラホルダ２０には回転モーメントが掛かる。その場合に備え、上部固定具２２である片持ち挿入固定リング２２Ｂにおいて開口している部位は、両持ち挿入固定リング２３Ａにおいて開口している部位と、ずれた位置となるようにしている。
【００３１】
（第三の実施形態）
図３に示すように、第三の実施形態においても上部固定具２２の形状を異ならせている。すなわち、前記の竿筒１６の上端縁へ填まる構造をなす縁支持リング２２Ｃとしている。
エキストラホルダ２０に釣り竿が挿通されてエキストラホルダ２０には回転モーメントが掛かる場合にも、その回転モーメントを受け止めやすく、竿筒１６へ固定された補助筒体２１が垂直方向にずれにくくなる、という効果がある。
図３に示した縁支持リング２２Ｃでは、竿筒１６の内側面へ接する縁部を竿筒１６の外側面へ接する縁部よりも縦方向へ長く形成することで、安定度を高めるようにしている。
【００３２】
（第四の実施形態）
図４に示すように、第四の実施形態では、上部固定具２２および下部固定具２３を、バンド式固定具２２Ｄ，２３Ｄとしている。また、そのバンド式固定具２２Ｄ，２３Ｄを固定するハーフパイプを備えている。このハーフパイプの内曲面は、竿筒１６の外表面に接する。このため、下側に位置するバンド式固定具２２Ｄを省略することも可能である。
この構造によれば、ロッドスタンド１０の竿筒１６の外径が、メーカの相違などによって異なっていても対応できる、という効果がある。
【００３３】
（第五の実施形態）
図５に示すように、第五の実施形態においても上部固定具２２の形状を異ならせ、片持ちレバー固定具２２Ｅとしている。ネジ止めするので、着脱作業は容易とは言えないが、一度固定したらすぐには外さないような場合に有効である。
【００３４】
（第六の実施形態）
図６に示すように、第六の実施形態においても上部固定具２２の形状を異ならせている。図６（ａ）に示すのは、断面Ｌ字形のはめ込み片２２Ｆとしている。ロッドスタンド１０の竿筒１６の上端部分には、そのはめ込み片２２Ｆの幅寸法に等しい幅で切り欠き部１６Ａを備えている。
【００３５】
図６（ｂ）および（ｃ）に示すのは、図６（ａ）に示した変形例である。すなわち、断面形状が「Ｆ」の字を９０度回転させたようなはめ込み片２２Ｇとしている。このはめ込み片２２Ｇは、竿筒１６の切り欠き部１６Ａに収まった場合、水平方向のズレを抑えることができる。
【産業上の利用可能性】
【００３６】
本考案は、釣り具の製造業、販売業またはレンタル業、アウトドアスポーツのインストラクター事業などにおいて、利用可能性を有する。
【符号の説明】
【００３７】
１０  ；ロッドスタンド
１１  ；スタンド基部              １２  ；脚部
１３  ；筒支持部                  １４  ；支持棒
１５  ；筒下部支持具              １５Ａ；基部
１５Ｂ；筒支持リング              １５Ｃ；脚支持リング
１６  ；竿筒                      １６Ａ；切り欠き部
１７  ；ハンドル
２０  ；エキストラホルダ（補助装置）
２１  ；補助筒体
２２  ；上部固定部                ２２Ａ；上部リング
２２Ｂ；片持ち挿入固定リング      ２２Ｃ；縁支持リング
２２Ｄ；固定バンド                ２２Ｅ；片持ちレバー固定具
２２Ｆ；はめ込み片                ２２Ｇ；はめ込み片
２３  ；下部固定部                ２３Ａ；両持ち挿入固定リング
２３Ｄ；固定バンド
【図１】
0003190663.tif 000003
【図２】
0003190663.tif 000004
【図３】
0003190663.tif 000005
【図４】
0003190663.tif 000006
【図５】
0003190663.tif 000007
【図６】
0003190663.tif 000008
【図７】
0003190663.tif 000009